(57)【要約】【課題】  浸潤や滲水により中芯の強度が低下することを抑止する構造を有した草履を提供すること。【解決手段】  表材、中芯及び底材を材料として含み、これらをこの順に重合して作られる履物において、防水性を有するシートを、表材と中芯との間、若しくは中芯と底材との間、又はこれら双方に設ける。【選択図】  図２
0003132919.tif 000002
【実用新案登録請求の範囲】
【請求項１】
表材、中芯及び底材を材料として含み、これらをこの順に重合して作られる履物であって、防水性を有するシートを、表材と中芯との間、若しくは中芯と底材との間、又はこれら双方に設けたことを特徴とする履物。
【請求項２】
ラバーコーティングの層を、前記表材の下層に、前記表材に接して設けたことを特徴とする請求項１に記載の履物。
【請求項３】
前記シートは、合成樹脂で作られていることを特徴とする、請求項１又は２に記載の履物。
【請求項４】
前記シートは、ポリ塩化ビニルで作られていることを特徴とする、請求項１又は２に記載の履物。
【考案の詳細な説明】
【技術分野】
【０００１】
本発明は、畳表を使用した草履に関するものである。
【背景技術】
【０００２】
図５は、従来の一般的な草履９の構成例を示す図である。図６は、従来の一般的な草履の垂直方向の断面を示す図である。草履９は、底材３、中天４及び鼻緒８で構成されている。底材３は、草履９の基台になり、通常、スポンジ、合成ゴム、ウレタン、コルク等で作られる。中天４は、底材３の上に接着される。中天４は、畳表１と中芯２とが層状に重ねられ、その縁部を表皮５で覆うことにより構成される。
【０００３】
鼻緒８は、足の甲にかける紐６と、親指と人差し指ではさむ前緒７とで構成される。中天４には、先端部付近の中央に１箇所（以下、「前壺」という。）、後端部付近の左右に２箇所の合計３箇所に、孔が設けられる。この孔は、鼻緒８を草履９に固定するために設けられる。鼻緒８は、上記した各孔を介して、中天４の表面からその裏面へと通り、当該裏面にて固定される。
【０００４】
中芯２の原材料には、一般的に圧縮パルプが用いられてきた。また、表皮５の原材料には、布や皮革が用いられてきた。
【０００５】
ところで、中芯２の原材料の候補としては、上述した圧縮パルプ以外にも、プラスチック、ゴム、木材等があった。しかし、プラスチックは、底材３に使用される材料との接着性が悪い。このため、中芯２の原材料としてプラスチックを採用すると、底材３と中天４とが剥離する原因となってしまう。ゴムは、その強度が不十分であるため、鼻緒８が固定された箇所（例えば前壺の周囲など）から破壊が生じやすい。木材は、その硬度が高いため履き心地が悪い。このように、圧縮パルプ以外の中芯２の原材料には、それぞれ欠点があるため、いずれも原材料として不適切である。
【考案の開示】
【考案が解決しようとする課題】
【０００６】
中天４の構造は、上記の通り中芯２の上に畳表１が重ねられたものである。畳表１は、経糸に藺草を垂直に交差させて編まれた構造を有している。そのため、この編目より水分が浸透し、畳表１の下層にある中芯２に浸潤することがある。
【０００７】
浸潤した水分の一部は、底材３と中天４との接合面に達することがある。ところで、底材３と中天４とは、一般的に接着剤で接着されている。接着剤による接着強さは、被着材の含水率が上がる、若しくは接合面の水分量が高くなると低下する。よって、中芯２の浸潤及び接合面の滲水は、接着強さを低下させ、底材３と中天４との剥離を引き起こす原因となる。
【０００８】
また、中芯２の原材料には、上述した通り、一般的に圧縮パルプが採用される。圧縮パルプは水分を含むと膨張し、圧縮パルプの密度が低下する。圧縮パルプにおいては、その縦方向の引っ張り強度は、密度が低下するに従って低下する。そして、圧縮パルプの引っ張り強度の低下により、圧縮パルプは破壊を起こし、即ち中芯２が破壊し、草履が履物としての機能を失う可能性が高まる。
【０００９】
本発明は、このような問題点を解決するものであり、浸潤や滲水により中芯の強度が低下することを抑止する構造を有した草履を提供することを目的とする。
【課題を解決するための手段】
【００１０】
本発明は、表材、中芯及び底材を材料として含み、これらをこの順に重合して作られる履物であって、防水性を有するシートを、表材と中芯との間、若しくは中芯と底材との間、又はこれら双方に設けたことを特徴とする。表材とは、例えば畳表である。
【００１１】
本発明によれば、シートの存在によって、表材から浸透した水分が中芯へ浸透することが抑止される。即ち、表材から浸透した水分は、シートによってせきとめられ、中芯に浸透することが抑止される。このため、中芯に水分が及ぶことによる接着強さの低下や、圧縮パルプの強度低下を抑止することが可能となる。
【００１２】
本発明において、ラバーコーティングの層は、前記表材の下層に、前記表材に接して設けるように構成されても良い。また、前記シートは、合成樹脂、例えばポリ塩化ビニルを用いて構成されても良い。
【考案の効果】
【００１３】
本発明によれば、浸潤や滲水により中芯の強度が低下することを抑止する構造を有した草履を提供することが可能となる。
【考案を実施するための最良の形態】
【００１４】
［第一実施例］
図１は、本発明の実施例である草履１００の構成を示す図である。図２は、草履１００の第一実施例についての垂直方向の断面を示す図である。以下、図１及び図２を用いて、本発明による草履１００の第一実施例の構成について説明する。
【００１５】
草履１００は、底材１０３及び中天１０４を層状に重ねて構成される。また、中天１０４の表面には、鼻緒１０８が設けられている。また、中天１０４の淵部は、表皮１０５で覆われている。次に、草履１００に用いられる各部の構成について説明する。
【００１６】
中天１０４は、畳表１０１、シート１１０及び中芯１０２を用いて構成される。畳表１０１は、ポリプロピレン繊維で編みこまれたサンダル型の畳表である。
【００１７】
中芯１０２は、圧縮パルプを用いて構成され、サンダル型に形成されたものである。中芯１０２は、以下のように構成されても良い。例えば、中芯１０２に油を含浸させることにより、その耐水性を向上させることが可能である。
【００１８】
シート１１０は、防水性を有した素材を用いて構成され、サンダル型に形成されたものである。シート１１０は、畳表１０１と中芯１０２との間に位置する。シート１１０は、防水性を有した素材であって、畳表１０１と中芯１０２との間に設けることが可能であれば、どのような素材や形状が適用されても良い。例えば、シート１１０は、薄膜成型したポリ塩化ビニルシートを用いて構成されてもよい。
【００１９】
底材１０３は、草履１００の底を構成する部分であり、スポンジ、合成ゴム、ウレタン、コルク等の原材料を用いて構成される。例えば、底材１０３は、スポンジと合成ゴムとの混合材料で構成される。ウレタンは、水分による酸化が生じやすく、中天１０４との接着率も悪い。また、スポンジは、中天１０４との接着率は良いが、浸潤しやすい。また、合成ゴムは、浸潤は生じず、中天１０４との接着率も良いが、密度が高く、スポンジやウレタンと比較すると非常に質量がある。以上のことを踏まえて、底材１０３の原材料は適宜その目的や優先すべき事項に応じて自由に選択されうる。例えば、第一の条件として中天１０４との接着率を考慮し、第二の条件として耐水性を考慮したとすると、底材１０３の原材料には、スポンジと合成ゴムとの混合材料を使用することが適切となる。
【００２０】
表皮１０５は、防水性を有した素材で構成される。表皮１０５は、中天１０４の淵部（周縁部）を覆っている。表皮１０５は、例えば、糸を用いて中天１０４の周縁部に縫着される。このような縫着により、畳表１０１、シート１１０及び中芯１０２の各接着強さを補うことが可能となる。
【００２１】
このように構成されることにより、シート１１０は、畳表１０１から浸透した水分が中芯１０２へ浸透することを抑止する。以下、その効果を具体的に説明する。従来の構成では、畳表１０１から浸透した水分は、中芯１０２へそのまま浸透していた。これに対し、本発明における草履１００では、畳表１０１から浸透した水分は、防水性を有するシート１１０によってせきとめられ、中芯１０２に浸透することが抑止される。このため、中芯１０２に水分が及ぶことによる接着強さの低下や、圧縮パルプの強度低下を抑止することが可能となる。
【００２２】
［第二実施例］
図３は、草履１００の第二実施例についての垂直方向の断面を示す図である。以下、図１及び図３を用いて、本発明による草履１００の第二実施例について説明する。
【００２３】
第二実施例では、中芯１０２と底材１０３との間に、シート１１１が設けられる。シート１１１は、設けられる位置を除けば、シート１１０と同様に構成される。
【００２４】
このように構成されることにより、たとえ中芯１０２に水分が達したとしても、底材１０３との接着面に水分が到達することを抑止する。草履１００を構成する各部材のうち、最も接着強さが弱いのは底材１０３に接する接着面であるところ、この部分に水分が達することを抑止することにより、草履１００の強度の低下を抑止することが可能となる。
【００２５】
［変形例］
図４は、草履１００の変形例についての垂直方向の断面を示す図である。以下、図１及び図４を用いて、本発明による草履１００の変形例の構成について説明する。
【００２６】
変形例として、畳表１０１の下面にラバー加工を施すことにより、ラバー層１０１ａが設けられても良い。ラバー層１０１ａは、例えばラテ系接着剤などのような、含水率が低い接着剤を用いて構成される。ラバー層１０１ａは、前述した接着剤が畳表１０１の裏面に塗布されて形成されることにより、畳表１０１の編目を目詰めし固化することができる。従って、このようにラバー層１０１ａが形成されることにより、畳表１０１の織り込まれた繊維をほつれにくくし、畳表１０１の強度を上げることが可能となる。
【００２７】
また、ラバー層１０１ａは、畳表１０１の編目からの水分の浸透を抑止する。このため、ラバー層１０１ａを設けることにより、中芯１０２への水分の浸透を、一層効果的に抑止することが可能となる。そして、このような作用により、中天１０４と底材１０３との接着強さの低下や、圧縮パルプの強度低下を抑止することが可能となる。
【００２８】
また、変形例として、中芯１０２の下面にガーゼ１０２ａが設けられても良い。ガーゼ１０２ａは、接着剤の浸透率を高める。このため、このように構成されることにより、中芯１０２と底材１０３との接着強さが向上される。
【００２９】
また、変形例として、シート１１０の下面にガーゼ１１０ａが設けられてもよい。ガーゼ１１０ａは、例えば、シート１１０の下面に対し、のり引き加工を行うことにより設けることができる。ガーゼ１１０ａは、接着剤の浸透率を高める。このため、このように構成されることにより、シート１１０と中芯１０２との接着強さが向上される。
【００３０】
また、変形例として、シート１１０とシート１１１との両方が設けられるように構成されても良い。このように構成されることにより、草履１００の強度の低下を抑止することが可能となる。
【図面の簡単な説明】
【００３１】
【図１】本発明における草履の構成例を示す図である。
【図２】本発明における草履の第一実施例についての垂直方向の断面を示す図である。
【図３】本発明における草履の第二実施例についての垂直方向の断面を示す図である。
【図４】本発明における草履の変形例についての垂直方向の断面を示す図である。
【図５】従来の一般的な草履の構成例を示す図である。
【図６】従来の一般的な草履の垂直方向の断面を示す図である。
【符号の説明】
【００３２】
１…畳表，  ２…中芯，  ３…底材，  ４…中天，  ５…表皮，  ６…足の甲にかける紐，  ７…前緒，  8…鼻緒，  １００…草履，  １０１…畳表，  １０１ａ…ラバー層，  １０２…中芯，  １０２ａ…ガーゼ，  １０３…底材，  １０４…中天，  １０５…表皮，  １０６…足の甲にかける紐，  １０７…前緒，  １０８…鼻緒，  １１０…シート，  １１０ａ…ガーゼ，  １１１…シート
【図１】
0003132919.tif 000003
【図２】
0003132919.tif 000004
【図３】
0003132919.tif 000005
【図４】
0003132919.tif 000006
【図５】
0003132919.tif 000007
【図６】
0003132919.tif 000008